【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
複数のユーザの各ユーザ情報を表示部に表示する端末のコンピュータに実行させるプログラムであって、
前記表示部のうちの第１表示領域と第２表示領域とに、前記複数のユーザのうち少なくとも１以上のユーザのユーザ情報をそれぞれ表示する第１処理と、
前記第１表示領域に表示された少なくとも１つのユーザ情報を、前記端末のユーザの操作に基づいて前記第２表示領域に移動して表示する第２処理とを含み、
前記第２処理は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記複数のユーザのうち少なくとも１以上のユーザのユーザ情報を前記第１表示領域に表示する。
【請求項２】
請求項１に記載のプログラムであって、
前記第２処理は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記第２表示領域に表示される前記複数のユーザのうち少なくとも１以上のユーザのユーザ情報を前記第１表示領域に表示する。
【請求項３】
請求項１または請求項２に記載のプログラムであって、
前記第２処理は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記複数のユーザの各ユーザ情報を、前記第１表示領域と前記第２表示領域とのうち、前記複数のユーザの各ユーザ情報に対してそれぞれ設定された表示領域に表示する。
【請求項４】
請求項１または請求項２に記載のプログラムであって、
前記第１表示領域は、第１ユーザのユーザ情報である第１ユーザ情報と、第２ユーザのユーザ情報である第２ユーザ情報とを少なくとも表示し、
前記第２表示領域は、第３ユーザのユーザ情報である第３ユーザ情報を少なくとも表示し、
前記第２処理は、前記第１表示領域に表示された前記第２ユーザ情報を、前記端末のユーザの操作に基づいて前記第２表示領域に移動して表示する。
【請求項５】
請求項４に記載のプログラムであって、
前記第２処理は、前記端末のユーザの前記操作に基づいて、前記第１表示領域に表示された前記第１ユーザ情報を前記第２表示領域に移動して表示すると、前記複数のユーザに含まれるユーザのユーザ情報が前記第１表示領域に１つも表示されなくなる場合、少なくとも前記第１ユーザ情報と前記第２ユーザ情報とを前記第１表示領域に表示する。
【請求項６】
請求項４または請求項５に記載のプログラムであって、
前記第３ユーザは、前記端末のユーザであり、
前記第３ユーザ情報は、初期の設定で前記第２表示領域に表示される。
【請求項７】
請求項１から請求項６のいずれか一項に記載のプログラムであって、
前記第２処理は、前記複数のユーザのうち少なくとも１以上のユーザのユーザ情報を前記第１表示領域に表示することに関する確認の表示を行った後、前記複数のユーザのうち少なくとも１以上のユーザのユーザ情報を前記第１表示領域に表示する。
【請求項８】
請求項１から請求項７のいずれか一項に記載のプログラムであって、
前記複数のユーザのユーザ情報は、前記第１表示領域と前記第２表示領域とに、共通の時系列で表示される。
【請求項９】
請求項１から請求項８のいずれか一項に記載のプログラムであって、
前記複数のユーザの各ユーザ情報は、前記各ユーザ情報の各々に対応する各ユーザの端末から送付されたメッセージを含む。
【請求項１０】
請求項９に記載のプログラムであって、
前記複数のユーザは、グループに属し
前記表示部は、前記グループに属する前記複数のユーザのうち、各ユーザの端末から送受信されたメッセージを表示する。
【請求項１１】
複数のユーザの各ユーザ情報を表示部に表示する端末の表示方法であって、
前記表示部のうちの第１表示領域と第２表示領域とに、前記複数のユーザのうち少なくとも１以上のユーザのユーザ情報をそれぞれ表示する第１表示と、
前記第１表示領域に表示された少なくとも１つのユーザ情報を、前記端末のユーザの操作に基づいて前記第２表示領域に移動して表示する第２表示とを含み、
前記第２表示は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記複数のユーザのうち少なくとも１以上のユーザのユーザ情報を前記第１表示領域に表示する。
【請求項１２】
請求項１１に記載の表示方法であって、
前記第２表示は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記第２表示領域に表示される前記複数のユーザのうち少なくとも１以上のユーザのユーザ情報を前記第１表示領域に表示する。
【請求項１３】
請求項１１または請求項１２に記載の表示方法であって、
前記第２表示は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記複数のユーザの各ユーザ情報を、前記第１表示領域と前記第２表示領域とのうち、前記複数のユーザの各ユーザ情報に対してそれぞれ設定された表示領域に表示する。
【請求項１４】
請求項１１または請求項１２に記載の表示方法であって、
前記第１表示領域は、第１ユーザのユーザ情報である第１ユーザ情報と、第２ユーザのユーザ情報である第２ユーザ情報とを少なくとも表示し、
前記第２表示領域は、第３ユーザのユーザ情報である第３ユーザ情報を少なくとも表示し、
前記第２表示は、前記第１表示領域に表示された前記第２ユーザ情報を、前記端末のユーザの操作に基づいて前記第２表示領域に移動して表示する。
【請求項１５】
請求項１４に記載の表示方法であって、
前記第２表示は、前記端末のユーザの前記操作に基づいて、前記第１表示領域に表示された前記第１ユーザ情報を前記第２表示領域に移動して表示すると、前記複数のユーザに含まれるユーザのユーザ情報が前記第１表示領域に１つも表示されなくなる場合、少なくとも前記第１ユーザ情報と前記第２ユーザ情報とを前記第１表示領域に表示する。
【請求項１６】
請求項１４または請求項１５に記載の表示方法であって、
前記第３ユーザは、前記端末のユーザであり、
前記第３ユーザ情報は、初期の設定で前記第２表示領域に表示される。
【請求項１７】
請求項１１から請求項１６のいずれか一項に記載の表示方法であって、
前記第２表示は、前記複数のユーザのうち少なくとも１以上のユーザのユーザ情報を前記第１表示領域に表示することに関する確認の表示を行った後、前記複数のユーザのうち少なくとも１以上のユーザのユーザ情報を前記第１表示領域に表示する。
【請求項１８】
請求項１１から請求項１７のいずれか一項に記載の表示方法であって、
前記複数のユーザのユーザ情報は、前記第１表示領域と前記第２表示領域とに、共通の時系列で表示される。
【請求項１９】
請求項１１から請求項１８のいずれか一項に記載の表示方法であって、
前記複数のユーザの各ユーザ情報は、前記各ユーザ情報の各々に対応する各ユーザの端末から送付されたメッセージを含む。
【請求項２０】
請求項１９に記載の表示方法であって、
前記複数のユーザは、グループに属し
前記表示部は、前記グループに属する前記複数のユーザのうち、各ユーザの端末から送受信されたメッセージを表示する。
【請求項２１】
複数のユーザの各ユーザ情報を表示部に表示する端末であって、
第１表示領域と第２表示領域とに、前記複数のユーザのうち少なくとも１以上のユーザのユーザ情報をそれぞれ表示する表示部と、
前記第１表示領域に表示された少なくとも１つのユーザ情報を、前記端末のユーザの操作に基づいて前記第２表示領域に移動して表示する制御を行う制御部とを備え、
前記制御部は、前記端末のユーザの前記操作に基づいて、前記第１表示領域に表示された少なくとも１つのユーザ情報を前記第２表示領域に移動して表示すると、前記複数のユーザに含まれるユーザのユーザ情報が前記第１表示領域に１つも表示されなくなる場合、前記複数のユーザのうち少なくとも１以上のユーザのユーザ情報を前記第１表示領域に表示する制御を行う。